(57)【要約】      （修正有）【課題】温水供給先（用途）が複数ある給湯システム等において配管類等を削減できて設備コストを低く抑えることのできる複連式混合弁装置を提供する。【解決手段】水流入口２１を有する管状水室１１及び湯流入口を有する管状湯室１２が横並びに連設されるとともに、管状水室１１と管状湯室１２との間に水と湯の混合比率を調整するためのロータリー式の第１弁体３１及び第２弁体３２がそれぞれ個別に回動可能に嵌挿され、かつ、第１弁体３１によりその温度が調整された温水を第１供給先に送るための第１流出口と第２弁体３２によりその温度が調整された温水を第２供給先に送るための第２流出口とが設けられている。【選択図】図７
2014074480.tif 000002
【特許請求の範囲】
【請求項１】
温水の温度を個別に調整する複連式混合弁装置であって、
水流入口を有する管状水室及び湯流入口を有する管状湯室が横並びに連設されるとともに、前記管状水室と管状湯室との間に水と湯の混合比率を調整するためのロータリー式の第１弁体及び第２弁体がそれぞれ個別に回動可能に嵌挿され、かつ、前記第１弁体によりその温度が調整された温水を第１供給先に送るための第１流出口と前記第２弁体によりその温度が調整された温水を第２供給先に送るための第２流出口とが設けられていることを特徴とする複連式混合弁装置。
【請求項２】
温水の温度を個別に調整する複連式混合弁装置であって、
水流入口を有する管状水室及び湯流入口を有する管状湯室が隔壁部を介して横並びに連設されるとともに、前記隔壁部に前記管状水室と管状湯室とに開口する両面窓付き円筒面部からなる第１弁体嵌挿部及び第２弁体嵌挿部が並設され、水と湯の混合比率を調整するためのロータリー式の第１弁体及び第２弁体がその周壁の一部を前記窓から前記管状水室及び管状湯室に露出させた状態で前記第１弁体嵌挿部及び第２弁体嵌挿部にそれぞれ個別に回動可能に嵌挿され、かつ、前記第１弁体によりその温度が調整された温水を第１供給先に送るための第１流出口と前記第２弁体によりその温度が調整された温水を第２供給先に送るための第２流出口とが設けられていることを特徴とする複連式混合弁装置。
【請求項３】
前記管状水室と管状湯室は、断面円形とされ、それらの中心線が同一平面上に配置されていることを特徴とする請求項１又は２に記載の複連式混合弁装置。
【請求項４】
前記管状水室と管状湯室は、共に直管状とされて相互に平行に配置されていることを特徴とする請求項１から３のいずれかに記載の複連式混合弁装置。
【請求項５】
前記第１弁体及び第２弁体の回転軸線は、前記管状水室及び管状湯室の中心線に対して直交配置されていることを特徴とする請求項３又は４に記載の複連式混合弁装置。
【請求項６】
前記第１弁体と第２弁体は、逆向きに配置されていることを特徴とする請求項５に記載の複連式混合弁装置。
【請求項７】
前記第１弁体の直上に前記第１流出口が設けられるとともに、前記第２弁体の直下に前記第２流出口が設けられていることを特徴とする請求項６に記載の複連式混合弁装置。
【請求項８】
前記水流入口及び湯流入口は、前記管状水室及び管状湯室の中心線に対して直交配置されていることを特徴とする請求項３から７のいずれかに記載の複連式混合弁装置。
【請求項９】
前記水流入口と湯流入口は、逆向きに設けられていることを特徴とする請求項８に記載の複連式混合弁装置。
【請求項１０】
前記水流入口及び湯流入口は、共に前記第１弁体もしくは第１流出口と前記第２弁体もしくは第２流出口との間に設けられていることを特徴とする請求項７から９のいずれかに記載の複連式混合弁装置。
【請求項１１】
前記管状水室及び管状湯室における前記第１弁体と前記水流入口もしくは湯流入口との間、及び／又は、前記管状水室及び管状湯室における前記第２弁体と前記水流入口もしくは湯流入口との間に逆止弁が装着されていることを特徴とする請求項１０に記載の複連式混合弁装置。
【請求項１２】
前記水流入口に逆止弁が装着されていることを特徴とする請求項１から１１のいずれかに記載の複連式混合弁装置。
【請求項１３】
前記逆止弁は、弁座と、該弁座に接離する弁体と、該弁体を保持する弁棒と、前記弁棒が摺動自在に嵌挿される筒状ガイド部と、前記弁棒に保持された弁体を前記弁座に押し付ける方向に付勢する圧縮コイルばねからなる閉弁ばねと、を備えていることを特徴とする請求項１１又は１２に記載の複連式混合弁装置。
【請求項１４】
前記第１弁体を回転駆動する第１モータ及び前記第２弁体を回転駆動する第２モータを備えていることを特徴とする請求項１から１３のいずれかに記載の複連式混合弁装置。
【請求項１５】
前記水流入口、管状水室、湯流入口、管状湯室、隔壁部、第１及び第２弁体嵌挿部、第１及び第２流出口は弁本体として一体に成形されていることを特徴とする請求項２から１４のいずれかに記載の複連式混合弁装置。
【請求項１６】
前記管状水室と管状湯室とが横並びに連設されてなる弁本体の上下方向一面側に、前記水流入口及び湯流入口のうちの一方、前記第１流出口及び第２流出口のうちの一方、並びに、前記第１弁体を回転駆動する第１モータ及び前記第２弁体を回転駆動する第２モータのうちの一方が垂設され、前記弁本体の上下方向他面側に、前記水流入口及び湯流入口のうちの他方、前記第１流出口及び第２流出口のうちの他方、並びに、前記第１弁体を回転駆動する第１モータ及び前記第２弁体を回転駆動する第２モータのうちの他方が垂設されていることを特徴とする請求項１又は２に記載の複連式混合弁装置。
【発明の詳細な説明】
【技術分野】
【０００１】
本発明は、水と湯を混合して所望温度の温水を得ることのできる混合弁装置に係り、例えば、温水の供給先（用途）が複数箇所あり、かつ、その供給先毎に温水の温度を個別に調整することが要求される給湯システム等に使用するのに好適な複連式混合弁装置に関する。
【背景技術】
【０００２】
従来より、給湯システム等に使用される混合弁として、例えば下記特許文献１等にも見られるように、弁本体と、該弁本体内に回動可能に嵌挿された概略円筒状の弁体と、該弁体を回動させる駆動手段（ステッピングモータ）とを備え、前記弁本体に水流入口及び湯流入口が設けられるとともに、前記弁体の周壁部に、前記水流入口及び湯流入口の開口面積を連続的に変化させるべく一つないし複数の調整用開口部が設けられ、前記弁体を回動させることにより水と湯の混合比率、言い換えれば、導出される温水の温度を調整するようにされた混合弁が知られている。
【０００３】
このような混合弁が用いられる給湯システム、特に、例えば特許文献２に例示される如くに、温水の供給先（用途）が、例えば、風呂（浴室）、給湯（キッチン）、ルーム暖房等のように複数箇所あり、かつ、その供給先毎に温水の温度を個別に調整することが要求される給湯システムにおいては、前記した如くの混合弁をその供給先（用途）の数に合わせて複数個使用するようになっている。詳細には、かかる従来の給湯システムにおいては、例えば、ヒートポンプユニット等の加熱手段により給水（水道水）を所定温度に加熱してタンクに貯留しておく（所定温度に保つべく循環させる）ようにされ、このタンクの湯を配管を介して、風呂用、給湯用等の各混合弁の湯流入口に分配するとともに、給水（水道水）を配管を介して各混合弁の水流入口に分配し、各混合弁において所要温度の温水が得られるように水と湯の混合比率を調整して、その流出口から配管を介して必要部所に供給するようになっている。
【０００４】
なお、前記した如くの混合弁においては、特許文献１にも見られるように、逆流（漏れ）等を防止するため、前記水流入口や湯流入口に逆止弁を配置することが知られている。前記逆止弁としては、前記水流入口や湯流入口が通常断面円形に形成されること等から、該水流入口や湯流入口に嵌挿される円筒状ないし円形リング状部分を有する、シール性や汎用性の高いものが普通は用いられる。
【先行技術文献】
【特許文献】
【０００５】
【特許文献１】特開２０１１-２３６９８２号公報
【特許文献２】特開２００３-１７６９５３号公報
【発明の概要】
【発明が解決しようとする課題】
【０００６】
しかしながら、前記した従来の給湯システムにおいては、温水供給先（用途）の数に応じた個数の混合弁を必要とするとともに、各混合弁に湯と水をそれぞれ分配するための配管及び継手類が必要となるため、配管系の部品点数が多くなるとともに、その占有スペースも大きくなり、構成部材のレイアウトに大きな制約が課せられるとともに、設備コストが高くなるという問題があった。
【０００７】
また、通常単独で使用される混合弁をそのまま温水供給先（用途）の数に応じた個数分使用するようにされているので、配管系以外の、水と湯の混合に供せられる混合弁部分の総部品点数も多くなり、この点からも総コストが高くなる嫌いがあった。
【０００８】
本発明は、上記事情に鑑みてなされたもので、その目的とするところは、温水供給先（用途）が複数ある給湯システム等において配管類等を削減できて設備コストを低く抑えることができるとともに、通常の混合弁を複数個使用する場合に比して部品点数を削減できる複連式混合弁装置を提供することにある。
【課題を解決するための手段】
【０００９】
前記の目的を達成すべく、本発明に係る複連式混合弁装置は、基本的には、水流入口を有する管状水室及び湯流入口を有する管状湯室が横並びに連設されるとともに、前記管状水室と管状湯室との間に水と湯の混合比率を調整するためのロータリー式の第１弁体及び第２弁体がそれぞれ個別に回動可能に嵌挿され、かつ、前記第１弁体によりその温度が調整された温水を第１供給先に送るための第１流出口と前記第２弁体によりその温度が調整された温水を第２供給先に送るための第２流出口とが設けられていることを特徴としている。
【００１０】
より具体的な好ましい態様では、水流入口を有する管状水室及び湯流入口を有する管状湯室が隔壁部を介して横並びに連設されるとともに、前記隔壁部に前記管状水室と管状湯室とに開口する両面窓付き円筒面部からなる第１弁体嵌挿部及び第２弁体嵌挿部が並設され、水と湯の混合比率を調整するためのロータリー式の第１弁体及び第２弁体がその周壁の一部を前記窓から前記管状水室及び管状湯室に露出させた状態で前記第１弁体嵌挿部及び第２弁体嵌挿部にそれぞれ個別に回動可能に嵌挿され、かつ、前記第１弁体によりその温度が調整された温水を第１供給先に送るための第１流出口と前記第２弁体によりその温度が調整された温水を第２供給先に送るための第２流出口とが設けられる。
【００１１】
前記管状水室と管状湯室は、好ましくは、断面円形とされ、それらの中心線が同一平面上に配置される。
前記管状水室と管状湯室は、好ましくは、共に直管状とされて相互に平行に配置される。
【００１２】
前記第１弁体及び第２弁体の回転軸線は、好ましくは、前記管状水室及び管状湯室の中心線に対して直交配置される。
前記第１弁体と第２弁体は、好ましくは逆向きに配置される。
【００１３】
他の好ましい態様では、前記第１弁体の直上に前記第１流出口が設けられるとともに、前記第２弁体の直下に前記第２流出口が設けられる。
【００１４】
前記水流入口及び湯流入口は、好ましい態様では、前記管状水室及び管状湯室の中心線に対して直交配置される。
前記水流入口と湯流入口は、好ましくは逆向きに設けられる。
【００１５】
前記水流入口及び湯流入口は、好ましくは、共に前記第１弁体もしくは第１流出口と前記第２弁体もしくは第２流出口との間に設けられる。
【００１６】
他の好ましい態様では、前記管状水室及び管状湯室における前記第１弁体と前記水流入口もしくは湯流入口との間、及び／又は、前記管状水室及び管状湯室における前記第２弁体と前記水流入口もしくは湯流入口との間に逆止弁が装着される。
他の好ましい態様では、前記水流入口に逆止弁が装着される。
【００１７】
前記逆止弁は、好ましい具体的な態様では、弁座と、該弁座に接離する弁体と、該弁体を保持する弁棒と、該弁棒が摺動自在に嵌挿される筒状ガイド部と、前記弁棒に保持された弁体を前記弁座に押し付ける方向に付勢する圧縮コイルばねからなる閉弁ばねと、を備える。
【００１８】
他の好ましい態様では、前記第１弁体を回転駆動する第１モータ及び前記第２弁体を回転駆動する第２モータを備える。
【００１９】
他の好ましい態様では、前記水流入口、管状水室、湯流入口、管状湯室、隔壁部、第１及び第２弁体嵌挿部、第１及び第２流出口は弁本体として一体に成形される。
【００２０】
別の好ましい態様では、前記管状水室と前記管状湯室とが横並びに連設されてなる弁本体の上下方向一面側に、前記水流入口及び湯流入口のうちの一方、前記第１流出口及び第２流出口のうちの一方、並びに、前記第１弁体を回転駆動する第１モータ及び前記第２弁体を回転駆動する第２モータのうちの一方が垂設され、前記弁本体の上下方向他面側に、前記水流入口及び湯流入口のうちの他方、前記第１流出口及び第２流出口のうちの他方、並びに、前記第１弁体を回転駆動する第１モータ及び前記第２弁体を回転駆動する第２モータのうちの他方が垂設される。
【発明の効果】
【００２１】
本発明に係る複連式混合弁装置は、従来型の混合弁を２つ以上合わせた機能を持つ。すなわち、各混合弁に共通の、水流入口、管状水室、湯流入口、及び管状湯室を有し、それらに第１弁体、第１モータ、及び第１流出口を加えたものが一つの混合弁として働き、また、同様に、第２弁体、第２モータ、及び第２流出口を加えたものがもう一つの混合弁として働く。
【００２２】
したがって、本発明の複連式混合弁装置を、供給先毎に温水の温度を個別に調整することが要求される給湯システムに適用する場合は、水流入口に水用配管を接続し、湯流入口に湯用配管を接続し、各流出口には、それぞれ従来と同様に温水供給配管を接続すればよく、これにより、従来は湯用配管及び水用配管がそれぞれ複数本必要であったが、本発明の複連式混合弁装置が用いられた給湯システムでは、湯用配管及び水用配管がそれぞれ１本ずつで済む。このため、給湯システムにおける配管系の部品点数を削減できるとともに、コンパクトに纏めることができ、構成部材のレイアウト自由度が高められて、設備コストを低く抑えることができる。
【００２３】
また、従来は通常単独で使用される混合弁をそのまま温水供給先（用途）の数に応じた個数分使用するようにされているが、本発明の複連式混合弁装置では、水と湯の混合比率を任意に独立して変えることのできるロータリー式の弁体及びそれを回転駆動するモータを複数個備えているものの、水流入口、管状水室、湯流入口、管状湯室、隔壁部、弁体嵌挿部、複数個の流出口等は弁本体として一体に成形されるので、水と湯の混合に供せられる混合弁部分の総部品点数も削減でき、この点からもコストを抑えることができる。
【００２４】
また、本発明の構成によれば、通常は弁本体から突出した部分となる水流入口及び湯流入口、第１流出口及び第２流出口、第１弁体を回転駆動する第１モータ、第２弁体を回転駆動する第２モータ等の配置自由度を高くすることができ、そのため、例えば、弁本体の上下方向一面側と他面側に、それぞれ、水流入口及び湯流入口のうちの一方と他方、第１流出口及び第２流出口のうちの一方と他方、並びに、第１モータ及び第２モータのうちの一方と他方、を配置すること等ができる。その結果、複連式混合弁装置の小型化を図ることができるとともに、その占有スペースを小さくすることができ、設置場所に応じて、その上下等に配管接続用スペース等を容易に確保し得、給湯システムへの組み込み等の便宜を図ることができる。
【図面の簡単な説明】
【００２５】
【図１】本発明に係る複連式混合弁装置の一実施例を示す斜視図。
【図２】本発明に係る複連式混合弁装置の一実施例を示す正面図。
【図３】本発明に係る複連式混合弁装置の一実施例を示す左側面図。
【図４】本発明に係る複連式混合弁装置の一実施例を示す右側面図。
【図５】本発明に係る複連式混合弁装置の一実施例を示す平面図。
【図６】本発明に係る複連式混合弁装置の一実施例を示す底面図。
【図７】図２のＡ-Ａ矢視断面図。
【図８】図７のＢ-Ｂ矢視断面図。
【図９】図７のＣ-Ｃ矢視断面図。
【図１０】図７のＤ-Ｄ矢視断面図。
【図１１】図７のＥ-Ｅ矢視断面図。
【図１２】図７のＦ-Ｆ矢視断面図。
【発明を実施するための形態】
【００２６】
以下、本発明の複連式混合弁装置の実施の形態を図面を参照しながら説明する。
図１、図２、図３、図４、図５、図６は、本発明に係る複連式混合弁装置の一実施例を示す斜視図、正面図、左側面図、右側面図、平面図、底面図である。図７は、図２のＡ-Ａ矢視断面図、図８から図１２は、図７のＢ-Ｂ、Ｃ-Ｃ、Ｄ-Ｄ、Ｅ-Ｅ、Ｆ-Ｆの各矢視断面図である。なお、図７以降の断面図において、本発明の理解にさほど必要とはしない部分（ステッピングモータ５１、５２の内部等）は、その図示やハッチングを省略している。
【００２７】
また、本明細書において、上下、左右、前後等の位置、方向を表わす記述は、図１の方向矢印表示を基準としており、実際の設置状態での位置、方向を指すものではない。
【００２８】
図示実施例の複連式混合弁装置１は、例えば、温水の供給先（用途）が、風呂（浴室、シャワー）と給湯（キッチン）のように２箇所あり、かつ、その供給先毎に温水の温度を個別に調整することが要求される給湯システムに使用されるもので、従来型の２つの混合弁の役割を担うもので、基本的には、水流入口２１を有する管状水室１１及び湯流入口２２を有する管状湯室１２が隔壁部１５（図７参照）を介して横並びに連設されてなる弁本体１０を備える。
【００２９】
管状水室１１と管状湯室１２は、共に同一径の直管状（断面円形）とされ、それらの中心線Ｑ１、Ｑ２が同一平面上に平行に配置されている。
【００３０】
前記水流入口２１及び湯流入口２２は、管状水室１１及び管状湯室１２の中心線Ｑ１、Ｑ２に対して直交するとともに、相互に逆向きに配置されている。詳しくは、水流入口２１は、弁本体１０の上面側で左右方向中央部付近に上向きに垂設され、その下部の半分程度が前記管状水室１１に開口せしめられている（図５、図９参照）。一方、湯流入口２２は、弁本体１０の下面側で左右方向中央部付近に下向きに垂設され、その上部の半分程度が前記管状湯室１２に開口せしめられている（図６、図９参照）。
【００３１】
弁本体１０の隔壁部１５の左端近くと右端近くには、図７に示される如くに、管状水室１１と管状湯室１２とに開口する窓１８、１８が形成された両面窓付き円筒面部からなる第１弁体嵌挿部１６と第２弁体嵌挿部１７が並設されている。
【００３２】
第１弁体嵌挿部１６と第２弁体嵌挿部１７には、ロータリー式の概略円筒状の第１弁体３１及び第２弁体３２がその周壁の一部を当該第１弁体嵌挿部１６及び第２弁体嵌挿部１７から管状水室１１及び管状湯室１２に露出させた状態で、それぞれ個別に回動可能に嵌挿されている。
【００３３】
第１弁体３１及び第２弁体３２は、この例においては基本構成が同じもので、図８、図１０に示される如くに、それらの回転軸線Ｏ１、Ｏ２が管状水室１１及び管状湯室１２の中心線Ｑ１、Ｑ２に対して直交配置されるとともに、第１弁体３１と第２弁体３２は、逆向き、すなわち、第１弁体３１は逆立（上向き）、第２弁体３２は正立（下向き）で配在されている。
【００３４】
弁本体１０の下面側の左端近く（の筒状保持部２５）には第１弁体３１を回転駆動する第１モータ（ステッピングモータ）５１が弁本体１０に対して垂直に取り付けられ、弁本体１０の上面側の右端近く（の筒状保持部２５）には第２弁体３２を回転駆動する第２モータ（ステッピングモータ）５２が弁本体１０に対して垂直に取り付けられている。
【００３５】
次に、図１０を参照しながら正立している第２弁体３２の方を代表して、弁体３１、３２の構成を説明する。
【００３６】
弁体３２（３１）の天井部付き周壁部３３には、管状水室１１及び管状湯室１２（窓１８、１８）に対する開口面積を連続的に変化させるべく概略楕円形の調整用開口部３４が設けられ、前記弁体３２（３１）をモータ５２（５１）で回動させることにより水と湯の混合比率、言い換えれば、導出される温水の温度を調整するようにされている。
【００３７】
弁体３２の周壁部３３の天井部の上面中央には、軸部３５が突設されている。この軸部３５は、第２弁体嵌挿部１７上に設けられた段差部付き筒状保持部２５に挿入されてクリップ状係止具２９で保持された支持部材２６に回動可能に嵌挿されている。この軸部３５の下部にはＯリングが装着され、その上部には、弁体３２の回転は許容するが下方への抜けを阻止する弁体係止具としてのクリップ２７が装着され、さらにその上には、モータ５２のロータ（の軸）と一体回転可能に連結するためのスプライン軸部３６（スプラインは図示省略）及び非円形断面（Ｄカット形状等）の凸部３７が設けられている。
【００３８】
一方、弁本体１０の上面側（第１弁体３１の直上）には、第１弁体３１によりその温度が調整された温水を第１供給先（例えば風呂）に送るための第１流出口４１が垂設され、弁本体１０の下面側（第２弁体３２の直下）には、第２弁体３２によりその温度が調整された温水を第２供給先（例えばキッチン）に送るための第２流出口４２が垂設されている。
【００３９】
また、前記管状水室１１及び管状湯室１２の右端部には、それらの内部に嵌挿される例えば3本（枚）の断面円弧状部２４ａ及びその先端に設けられた円環状部２４bからなる挿入部２４Ｂと盲蓋部２４Ａを有する蓋状部材２４が超音波溶着等により被着されている。なお、この蓋状部材２４（の挿入部２４B）は、後述する逆止弁６０の抜け止めストッパとしても機能する。また、管状湯室１２の左端部にも、上記蓋状部材２４が被着されているが、管状水室１１の左端部は、蓋はされておらず、水のみを外部に送るための水流出口４３が横向きに突設されて開口している。
【００４０】
ここで、本実施例の複連式混合弁装置１では、前記した水流入口２１、管状水室１１、湯流入口２２、管状湯室１２、隔壁部１５、第１及び第２弁体嵌挿部１６、１７、第１及び第２流出口４１、４２、及び水流出口４３は、合成樹脂材料を素材として一体に成形されている。
【００４１】
また、管状水室１１と管状湯室１２とが横並びに連設されてなる弁本体１０の上下方向一面側（上面側）に、水流入口２１、第１流出口４１、並びに、第２弁体を回転駆動する第２モータ５２が垂設され、弁本体１０の上下方向他面側（下面側）に、湯流入口２２、第２流出口４２、並びに、第１弁体３１を回転駆動する第１モータ５１が垂設されている。
【００４２】
一方、管状水室１１における第２弁体３２と水流入口２１とのの間には、管状湯室１２側からの湯が水流入口２１側に逆流（漏出）するのを防ぐべく逆止弁６０が装着され、また、管状湯室１２における第１弁体３１と湯流入口２２との間、及び、第２弁体３２と湯流入口２２との間には、それぞれ管状水室１１側からの水が湯流入口２２側に逆流（漏出）するのを防ぐべく逆止弁６０が装着されており、さらに、水流入口２１にも逆止弁６０が装着されている。
【００４３】
各逆止弁６０は同一構成であるので、以下、管状水室１１に装着されている逆止弁６０を代表して説明する（図７参照）。図示の逆止弁６０は、その中心線から下半分が閉状態、上半分が開状態を示しており、管状水室１１に嵌挿される弁座６２が設けられた円筒状の弁座部材６１と、前記弁座６２に接離するゴム製シール材（パッキン）からなる弁体６３と、該弁体６３を保持すべく、弁体抜け止め用の頭部６５ａ、弁体受け部６５ｂ、及び円柱状の胴部６５ｃを有する弁棒６５と、弁座部材６１の内周側に配置され、弁棒６５の胴部６５ｃが摺動自在に嵌挿される筒状ガイド部６６と、弁座部材６１と筒状ガイド部６６とを連結する３本の連結板部６７（図１０参照）と、前記弁棒６５に保持された弁体６３を弁座６２に押し付ける方向（閉弁方向）に付勢する圧縮コイルばねからなる閉弁ばね６８とを備える。当該逆止弁６０（弁座部材６１）は、管状水室１１に形成された段差部１１ｄと前述した蓋状部材２４（の挿入部２４Ｂ）とで抜け止め係止されるようになっている。なお、閉弁ばね６８は、弁棒６５の弁体受け部６５ｂと３本の連結板部６７の内周側端部に設けられたばね受け溝６９（の底部）との間に縮装されている。また、前記管状水室１１と弁座部材６１との間にはＯリング等のシール材が介装されている。
【００４４】
前記した構成を有する弁体３１、３２は、図１においてＭ１、Ｍ２で示される湯水混合部を構成し、弁体３１、３２をモータ５１、５２によりそれぞれ適宜の角度回動させることにより、管状水室１１内の水と管状湯室１２内の湯とが所望の比率で混合され、それによって、流出口４１、４２から供給先に送られる温水の温度が個別に調整されることになる。
【００４５】
すなわち、本実施例の複連式混合弁装置１は、従来型の混合弁を２つ合わせた機能を持つ。詳しくは、２つの混合弁に共通の、水流入口２１、管状水室１１、湯流入口２２、及び管状湯室１２を有し、それらに第１弁体３１、第１モータ５１、及び第１流出口４１を加えたものが一つの混合弁として働き、また、同様に、第２弁体３２、第２モータ５２、及び第２流出口４２を加えたものがもう一つの混合弁として働く。
【００４６】
このような構成とされた本実施例の複連式混合弁装置１では、供給先毎に温水の温度を個別に調整することが要求される給湯システムに適用する場合は、水流入口２１に水用配管を接続し、湯流入口２２に湯用配管を接続し、各流出口４１、４２には、それぞれ従来と同様に温水供給配管を接続すればよい。したがって、従来は湯用配管及び水用配管がそれぞれ複数本必要であったが、本実施例の複連式混合弁装置が用いられた給湯システムでは、湯用配管及び水用配管がそれぞれ１本ずつで済む。このため、給湯システムにおける配管系の部品点数を削減できるとともに、コンパクトに纏めることができ、構成部材のレイアウト自由度が高められて、設備コストを低く抑えることができる。
【００４７】
また、従来は通常単独で使用される混合弁をそのまま温水供給先（用途）の数に応じた個数分使用するようにされているが、本実施例の複連式混合弁装置１では、水と湯の混合比率を任意に独立して変えることのできるロータリー式の弁体及びそれを回転駆動するモータを複数個備えているものの、水流入口、管状水室、湯流入口、管状湯室、隔壁部、弁体嵌挿部、複数個の流出口等は弁本体として一体に成形されるので、水と湯の混合に供せられる混合弁として機能する部分の総部品点数も削減でき、この点からもコストを抑えることができる。
【００４８】
さらに、本発明構成によれば、通常は弁本体１０から突出した部分となる水流入口２１及び湯流入口２２、第１流出口４１及び第２流出口４２、第１弁体を回転駆動する第１モータ５１及び第２弁体を回転駆動する第２モータ５２等の配置自由度を高くすることができるので、上記実施例のように、弁本体１０の上下方向一面側（上面側）に、水流入口２１、第１流出口４１、並びに、第２弁体を回転駆動する第２モータ５２を垂設し、弁本体１０の上下方向他面側（下面側）に、湯流入口２２、第２流出口４２、並びに、第１弁体３１を回転駆動する第１モータ５１を垂設することができ、その結果、複連式混合弁装置の小型化を一層図ることができるとともに、その占有スペースをさらに小さくすることができ、設置場所に応じて、その上下等に配管接続用スペース等を容易に確保し得、給湯システムへの組み込み等の便宜を図ることができる。
【００４９】
なお、上記実施例では、ロータリー式の弁体を２個使用して従来型の２つの混合弁の機能を達成するもの、つまり温水供給先が２カ所ある場合の複連式混合弁装置を例示したが、温水供給先が３カ所以上必要とされる場合には、その温水供給先の数に応じて弁体、モータ、流出口の個数を増やせばよく、この場合も本発明を上記実施例と同様に適用できる。
【００５０】
また、第1弁体３１及び第２弁体３２は、それぞれ逆向きに配置されるものとして説明したが、本発明はこれのみに限定されることはなく、第１弁体３１及び第２弁体３２を同じ向きに配置し、第１流出口４１及び第２流出口４２をそれぞれ同じ方向に開口させるようにしても良い。
【００５１】
さらに、管状水室１１と管状湯室１２は、それらの中心線Ｑ１、Ｑ２が同一平面上に平行に配置されるものとして説明したが、本発明はこれのみに限定されることはなく、同一平面上に非平行に配置されても良く、さらに中心線Ｑ１、Ｑ２がねじれの位置となるように、管状水室１１と管状湯室１２とを配置しても良い。
【００５２】
さらにまた、第1弁体３１及び第２弁体３２は、基本構成が同じであるものとして説明したが、それぞれ異なる大きさ、形状のものであっても良いことは当然である。
【符号の説明】
【００５３】
１・・・・複連式混合弁装置
１０・・・弁本体
１１・・・管状水室
１２・・・管状湯室
１５・・・隔壁部
１６・・・第１弁体嵌挿部
１７・・・第２弁体嵌挿部
２１・・・水流入口
２２・・・湯流入口
３１・・・第１弁体
３２・・・第２弁体
３３・・・周壁部
３４・・・調整用開口部
４１・・・第１流出口
４２・・・第２流出口
５１・・・第１モータ
５２・・・第２モータ
６０・・・逆止弁
【図１】
2014074480.tif 000003
【図２】
2014074480.tif 000004
【図３】
2014074480.tif 000005
【図４】
2014074480.tif 000006
【図５】
2014074480.tif 000007
【図６】
2014074480.tif 000008
【図７】
2014074480.tif 000009
【図８】
2014074480.tif 000010
【図９】
2014074480.tif 000011
【図１０】
2014074480.tif 000012
【図１１】
2014074480.tif 000013
【図１２】
2014074480.tif 000014